(57)【要約】【課題】簡単な操作で、火災感知に連動した防排煙機器以外の防排煙機器を動作させることができる火災受信機を提供する。【解決手段】信号線を介し火災感知器や防排煙機器を動作させる防排煙用中継器等の端末機器が接続され、建物に設定された防災区画内の火災感知器が火災感知したときに、火災感知器と関連づけられた同一防災区画内の１つ以上の防排煙機器を動作させる火災受信機ＦＡにおいて、防災区画と防災区画に配置される端末機器とを関連付けるグループデータベース部ＦＡ３１と、複数の防災区画を所定集合として関連付けるグループ集合データベース部ＦＡ３２と、操作部ＦＡ５と、操作部ＦＡ５の操作により、所定集合が指定されると、グループ集合データベース部ＦＡ３２から所定集合に関連付けられた複数の防災区画を呼び出し、呼び出した防災区画に関連付けられた防排煙用中継器をグループデータベース部ＦＡ３１から呼び出し、呼び出した防排煙用中継器により防排煙機器を動作させる制御部ＦＡ２とを備えた。【選択図】図２
2014016680.tif 000002
【特許請求の範囲】
【請求項１】
信号線を介し火災感知器や防排煙機器を動作させる防排煙用中継器等の端末機器が接続され、建物に設定された防災区画内の火災感知器が火災感知したときに、当該火災感知器と関連づけられた同一防災区画内の１つ以上の防排煙機器を動作させる火災受信機において、
防災区画と防災区画に配置される端末機器とを関連付けるグループデータベース部と、
複数の防災区画を所定集合として関連付けるグループ集合データベース部と、
操作部と、
前記操作部の操作により、前記所定集合が指定されると、前記グループ集合データベース部から前記所定集合に関連付けられた複数の防災区画を呼び出し、該呼び出した防災区画に関連付けられた防排煙用中継器をグループデータベース部から呼び出し、該呼び出した防排煙用中継器により防排煙機器を動作させる制御部と
を備えたことを特徴とする火災受信機。
【請求項２】
前記制御部は、前記操作部の操作により、防災区画が指定されると、防災区画に関連付けられた防排煙用中継器をグループデータベース部から呼び出し、該呼び出した防排煙用中継器により防排煙機器を動作させることを特徴とする請求項１記載の火災受信機。
【請求項３】
前記火災受信機は、表示部を備え、
前記制御部は、前記操作部の操作により、前記所定集合の表示を指定されると、前記グループ集合データベース部から前記所定集合に関連付けられた複数の防災区画を呼び出し、該呼び出した防災区画を前記表示部に表示させることを特徴とする請求項１または請求項２記載の火災受信機。
【発明の詳細な説明】
【技術分野】
【０００１】
本発明は、火災感知器が火災信号を発したときに、火災感知器と関連づけられた同一防災区画内の防排煙機器を連動させる火災受信機に関するものである。
【背景技術】
【０００２】
従来の火災受信機として、火災信号が受信された際、データベースに基づいて、火災信号の送信元である火災感知器または発信機に連動して動作する防排煙機器を特定し、特定した防排煙機器が接続されている防排煙制御用中継器に制御命令を送信して、その防排煙機器である防火戸、排煙機、シャッタなどを動作させるものがある（例えば、特許文献１参照）。
【先行技術文献】
【特許文献】
【０００３】
【特許文献１】特開２０１０−２３１７１５号公報（図２）
【発明の概要】
【発明が解決しようとする課題】
【０００４】
しかしながら、前述した従来の火災受信機では、火災感知器が火災信号を発したときに同一防災区画内の防排煙機器を連動させて延焼を防止することができるが、その防災区画に隣接する他の防災区画内の全ての防排煙機器を動作させて火災の拡大を抑えようとした場合、火災受信機の操作部から１台１台の防排煙機器を指定するデータ（アドレス等）を入力して１台１台の防排煙機器を動作させなければならなかった。
【０００５】
本発明は、前述のような課題を解決するためになされたもので、簡単な操作で、火災感知に連動した防排煙機器以外の防排煙機器を動作させることができる火災受信機を提供することを目的とする。
【課題を解決するための手段】
【０００６】
本発明に係る火災受信機は、信号線を介し火災感知器や防排煙機器を動作させる防排煙用中継器等の端末機器が接続され、建物に設定された防災区画内の火災感知器が火災感知したときに、当該火災感知器と関連づけられた同一防災区画内の１つ以上の防排煙機器を動作させる火災受信機において、防災区画と防災区画に配置される端末機器とを関連付けるグループデータベース部と、複数の防災区画を所定集合として関連付けるグループ集合データベース部と、操作部と、操作部の操作により、所定集合が指定されると、グループ集合データベース部から所定集合に関連付けられた複数の防災区画を呼び出し、該呼び出した防災区画に関連付けられた防排煙用中継器をグループデータベース部から呼び出し、該呼び出した防排煙用中継器により防排煙機器を動作させる制御部とを備えたものである。
【発明の効果】
【０００７】
本発明によれば、操作部の操作により、火操作部の操作により、所定集合が指定されると、グループ集合データベース部から所定集合に関連付けられた複数の防災区画を呼び出し、該呼び出した防災区画に関連付けられた防排煙用中継器をグループデータベース部から呼び出し、該呼び出した防排煙用中継器により防排煙機器を動作させるようにしている。これにより、簡単操作で火災感知に連動した防排煙機器以外の防排煙機器を動作させることができ、火災の拡大を防ぐことができる。
【図面の簡単な説明】
【０００８】
【図１】実施の形態に係る火災受信機を含む火災報知設備のシステムを示す全体構成図。
【図２】実施の形態に係る火災受信機の構成を示すブロック図。
【図３】実施の形態に係る火災受信機において、火災発生の防災区画以外の防災区画の防排煙機器を連動させるための操作画面を示す図。
【発明を実施するための形態】
【０００９】
図１は実施の形態に係る火災受信機を含む火災報知設備のシステムを示す全体構成図である。
火災受信機ＦＡには、例えば図１に示すように、電源兼信号線ＳＧ（以下、「信号線ＳＧ」と呼ぶ）を介して、光電式アナログ感知器ＳＥ１１、熱アナログ感知器ＳＥ１２、アドレッサブル発信機ＳＥ１３、地区ベル用中継器Ｂ１１、Ｂ１２，防排煙制御用中継器Ｄ１１、Ｄ１２などの端末機器が系統毎に接続されている。各端末機器には、アドレスが付与されていて、火災受信機ＦＡと各端末機器はアドレスに基づき通信を行っている。
【００１０】
光電式アナログ感知器ＳＥ１１は、検出した煙の濃度に応じたアナログ値を信号により火災受信機ＦＡに送信する。熱アナログ感知器ＳＥ１２は、検出した周囲温度に基づくアナログ値を信号により火災受信機ＦＡに送信する。アドレッサブル発信機ＳＥ１３は、火災の発見者が手動操作する押しボタンを備え、押しボタンがオンされたときに火災信号を火災受信機ＦＡに送信する。なお、光電式アナログ感知器ＳＥ１１及び熱アナログ感知器ＳＥ１２を「火災感知器ＳＥ１１、ＳＥ１２」と称し、アドレッサブル発信機ＳＥ１３を「発信機ＳＥ１３」と称して説明する。
【００１１】
地区ベル用中継器Ｂ１１、Ｂ１２には、地区ベルＢ１１１、Ｂ１１２がそれぞれ接続されている。防排煙制御用中継器Ｄ１１、Ｄ１２には、防排煙機器としての防火戸Ｄ１１１、シャッタＤ１１２がそれぞれ接続されている。なお、図１では、地区ベル用中継器Ｂ１１、Ｂ１２に１個の地区ベルＢ１１１、Ｂ１１２が、防排煙制御用中継器Ｄ１１、Ｄ１２には防排煙機器が１台ずつ接続されているが、これに限定されるものではない。
【００１２】
火災受信機ＦＡと各端末機器は、信号線ＳＧの電圧を変動させ、ハイレベル電圧とローレベル電圧の組み合わせのパルス信号で通信を行っている。
【００１３】
図１の火災受信機ＦＡでは、信号線ＳＧが例えば３つ設けられており、この一つの信号線ＳＧを系統という。また、火災受信機ＦＡは、建物である第１〜第３倉庫の火災を監視しており、各倉庫に１系統の信号線を配設して火災監視を行っている。
具体的には、図１に示す系統１は、例えば第一倉庫に設定された複数の防災区画（Ｚ０００１〜Ｚ０００４）を監視するためのものであり、系統２は、例えば第二倉庫に設定された複数の防災区画を監視するためのものであり、系統３は、例えば第三倉庫に設定された複数の防災区画を監視するためのものである。なお、図１では、火災監視の対象を倉庫としたが、これは一例であって、ビルや集合住宅などの建物でもよい。
【００１４】
系統１においては、第一倉庫の防災区画（Ｚ０００１）には、火災感知器ＳＥ１１、ＳＥ１２、地区ベルＢ１１１、防火戸Ｄ１１１が配置されている。防災区画（Ｚ０００１）に隣接する防災区画（Ｚ０００２）には、発信機ＳＥ１３、地区ベルＢ１１２、シャッタＤ１１２が配置されている。
【００１５】
さらに、第一倉庫の防災区画（Ｚ０００２）に隣接する防災区画（Ｚ０００３）には、前記と同様に、火災感知器ＳＥ１１、ＳＥ１２、地区ベルＢ１１１、防火戸Ｄ１１１が配置されている。また、防災区画（Ｚ０００３）に隣接する防災区画（Ｚ０００４）には、発信機ＳＥ１３、シャッタＤ１１２が配置されている。
【００１６】
系統２及び系統３においては、図１に示していないが、系統１と同様に、前述の各端末機器が、第二倉庫及び第三倉庫にそれぞれ設定された複数の防災区画に配置されている。  なお、第一倉庫、第二倉庫及び第三倉庫にそれぞれ設定された防災区画を４区画として述べたが、これは一例であって限定されるものではない。また、接続される各端末機器についても設置される建物等の物件に適した端末機器が必要数設置される。
なお、建物を倉庫としたがこれは一例であって限定されるものではない。また、建物１棟あたりに１系統の信号線ＳＧを配設したが、例えば階毎に１系統の信号線ＳＧを配設するようにして１つの建物に複数の系統の信号線ＳＧを配設しても良い。
【００１７】
前述の火災受信機ＦＡは、例えば系統１において、防災区画（Ｚ０００１）の火災感知器ＳＥ１１、ＳＥ１２の何れか一方が火災を感知した場合、火災感知器ＳＥ１１、ＳＥ１２と関連づけられた同一防災区画（Ｚ０００１）の地区ベルＢ１１１を鳴動させ、防火戸Ｄ１１１を動作させる。
【００１８】
また、火災受信機ＦＡは、例えば系統１において、防災区画（Ｚ０００２）の発信機ＳＥ１３が火災信号を発した場合、発信機ＳＥ１３と関連づけられた同一防災区画（Ｚ０００２）の地区ベルＢ１１２を鳴動させると共に、シャッタＤ１１２を動作させる。
なお、このように火災感知器が動作又は発信機が操作された際に、どの地区ベルや被制御機器を連動して動作させるかは、火災受信機ＦＡに設けた後述するグループデータベース部ＦＡ３１に設定されている。
【００１９】
次に、火災受信機ＦＡの構成について、図２を用いて説明する。
図２は実施の形態に係る火災受信機の構成を示すブロック図である。
火災受信機ＦＡは、系統毎に設けられた伝送部ＦＡ１と、制御部ＦＡ２と、グループデータベース部ＦＡ３１及びグループ集合データベース部ＦＡ３２が格納された記憶部ＦＡ３と、機能選択部ＦＡ４１、表示選択部ＦＡ４２、連動機器選択部ＦＡ４３及び全連動機器選択部ＦＡ４４を備えた操作部ＦＡ４と、表示部ＦＡ５とを備えている。この表示部ＦＡ５は、端末機器が感知した火災に関する情報や各端末機器の状態等を表示するタッチパネル式の画面で構成されている。
【００２０】
伝送部ＦＡ１は、記憶部ＦＡ３に端末機器のアドレス等が予め格納されたデータベース（図示せず）に従って、防災区画毎の火災感知器ＳＥ１１、ＳＥ１２に状態情報要求命令を送信し、その状態情報要求命令に応じて火災感知器ＳＥ１１、ＳＥ１２からの状態情報が受信されたときには一時的に保存する。そして、伝送部ＦＡ１は、保存した状態情報に火災信号が含まれているかどうかを判別し、状態情報に火災信号が含まれていた場合には、その火災信号を発した火災感知器ＳＥ１１、ＳＥ１２のアドレスを保存する。この動作は、発信機ＳＥ１３にも行われ、予め設定された時間毎に繰り返し行われている。
【００２１】
また、伝送部ＦＡ１は、制御部ＦＡ２から火災信号の有無の問い合わせ信号を受けたときには、判別結果を制御部ＦＡ２に通知する。即ち、伝送部ＦＡ１は、各火災感知器ＳＥ１１、ＳＥ１２の状態情報に火災信号が含まれていない場合にはその旨を通知し、火災感知器ＳＥ１１、ＳＥ１２の何れかが火災信号を発した場合にはそのアドレスを通知する。
【００２２】
制御部ＦＡ２は、火災情報の有無の問い合わせ信号の送信により、火災信号を発した火災感知器ＳＥ１１、ＳＥ１２の何れかのアドレスを受けたときには、記憶部ＦＡ３に格納されたグループデータベース部ＦＡ３１に従って、火災信号を発した例えば火災感知器ＳＥ１１のアドレスと関連づけられた同一防災区画（Ｚ０００１）の地区ベルＢ１１１を鳴動させる制御信号を伝送部ＦＡ１から地区ベル用中継器Ｂ１１へ送信させる。そして、制御部ＦＡ２は、火災感知器ＳＥ１１と関連づけられた同一防災区画（Ｚ０００１）の防火戸Ｄ１１１を動作させる制御信号を伝送部ＦＡ１から防排煙制御用中継器Ｄ１１へ送信させる。
【００２３】
前述のグループデータベース部ＦＡ３１（以下、「グループＤＢ部ＦＡ３１」と呼ぶ）には、例えば、系統毎にかつ各系統に設定された防災区画毎に、防災区画の番号（以下、「ゾーン番号」と呼ぶ）と防災区画に配置された端末機器のアドレスとがそれぞれ関連づけられて記録されている。
【００２４】
具体的には、系統１の第一倉庫に設定された防災区画毎に、防災区画のゾーン番号（Ｚ０００１〜Ｚ０００４）と防災区画に配置された端末機器のアドレスとがそれぞれ関連づけられて記録されている。また、系統２、３についても、前記と同様に、第二倉庫及び第三倉庫にそれぞれ設定された防災区画毎に、防災区画のゾーン番号と防災区画に配置された端末機器のアドレスとがそれぞれ関連づけられて記録されている。
【００２５】
グループ集合データベース部ＦＡ３２（以下、「グループ集合ＤＢ部ＦＡ３２」と呼ぶ）には、１つ以上の防災区画のゾーン番号が建物毎や階毎等の所定集合としてのグループ集合番号と関連づけられて記録されている。つまり、グループ集合ＤＢ部ＦＡ３２は、建物における複数の防災区画が所定集合として１つのグループとしてひとまとめにされ、そのグループに対してグループ集合番号が設けられている。
【００２６】
具体的には、系統１の第一倉庫に設定された防災区画のゾーン番号Ｚ０００１〜Ｚ０００４とグループ集合番号ＺＨ００１が関連づけられて記録されている。また、系統２、３についても、前記と同様に、第二倉庫及び第三倉庫にそれぞれ設定された複数の防災区画のゾーン番号とグループ集合番号が関連づけられて記録されている。
なお、グループ集合ＤＢ部ＦＡ３２には、グループ集合番号に関連付けて名称を記録することができる。グループ集合番号ＺＨ００１には、場所を示す「第一倉庫」の名称が記録されている。このようにグループ集合番号に名称を付けることによってグループ集合番号がどの複数の防災区画に関連付けられているか、判別しやすくなる。
【００２７】
前述の操作部ＦＡ４の機能選択部ＦＡ４１は、表示部ＦＡ５の画面に表示された例えば「機器連動」スイッチＦＡ４１１あるいは「全機器連動」スイッチＦＡ４１２の何れかがオン操作されると（図３参照）、グループ集合ＤＢ部ＦＡ３２を参照して、前述のグループ集合番号に関連付けられた名称である「第一倉庫」、「第二倉庫」及び「第三倉庫」の文字を画面に表示すると共に、各倉庫毎に「ＭＡＰ」、「ＯＮ」及び「ＯＦＦ」スイッチを表示する。なお、グループ集合番号に名称が関連付けられていないときには、「第一倉庫」等の名称に代えてグループ集合番号を画面に表示する。
【００２８】
表示選択部ＦＡ４２は、「機器連動」スイッチＦＡ４１１が選択された後に、表示画面の中から例えば「第一倉庫」の「ＭＡＰ」スイッチがオン操作されると、グループ集合ＤＢ部ＦＡ３２を参照して、第一倉庫に設定された防災区画の全てのゾーン番号を表示する。また、表示選択部ＦＡ４２は、「全機器連動」スイッチＦＡ４１２が選択された後に、表示画面の中から例えば「第一倉庫」の「ＭＡＰ」スイッチがオン操作されると、前記と同様に、第一倉庫に設定された防災区画の全てのゾーン番号を表示する。
【００２９】
連動機器選択部ＦＡ４３は、「機器連動」スイッチＦＡ４１１が選択された後に、表示画面の中から例えば「第一倉庫」の「ＯＮ」スイッチがオン操作されると、「第一倉庫」の文字を表示して、内容の確認を促すメッセージを表示し（図３（ｃ）参照）、この画面で「ＹＥＳ」スイッチがオン操作されたときには、例えば第一倉庫に設定された防災区画のゾーン番号のスイッチを表示し（図示せず）、何れかのゾーン番号のスイッチがオン操作されたときには、選択されたゾーン番号を制御部ＦＡ２に通知する。なお、オン操作が既になされているゾーン番号のスイッチは、例えば赤色で表示する等態様を変化させることにより、オン操作済みであることを表示する。
【００３０】
全連動機器選択部ＦＡ４４は、「全機器連動」スイッチＦＡ４１２が選択された後に、表示画面の中から例えば「第一倉庫」のグループ集合番号のスイッチである「ＯＮ」スイッチがオン操作されると、前記と同様に、図３（ｃ）の画面のように「第一倉庫」の文字を表示して、内容の確認を促すメッセージを表示し、この画面にて「ＹＥＳ」スイッチがオン操作されたときには、図３（ｅ）のように再び「第一倉庫」、「第二倉庫」及び「第三倉庫」の文字を画面に表示すると共に、各倉庫毎に「ＭＡＰ」、「ＯＮ」及び「ＯＦＦ」スイッチを表示し、「第一倉庫」の「ＯＮ」スイッチが操作されたときには、第一倉庫に設定されているグループ集合番号を制御部ＦＡ２に通知する。なお、オン操作が既になされているグループ集合番号のスイッチは、例えば赤色で表示する等の態様を変化させることにより、オン操作済みであることを表示する。
【００３１】
次に、火災発生の防災区画以外の防災区画の防排煙機器を動作させるための操作、及びその操作に基づく制御部ＦＡ２の動作について説明する。
図３は実施の形態に係る火災受信機において、火災発生の防災区画以外の防災区画の防排煙機器を動作させるための操作画面を示す図である。
【００３２】
制御部ＦＡ２は、例えば系統１の第一倉庫のうちＺ０００１の防災区画において火災感知器ＳＥ１１が火災を感知すると、火災感知器ＳＥ１１と関連づけられた同一防災区画（Ｚ０００１）の地区ベルＢ１１１を鳴動させ、その情報を表示部ＦＡ５の画面に表示して報知する。その後、制御部ＦＡ２は、火災感知器ＳＥ１１の感知により火災が確実であると判定したときには、火災感知器ＳＥ１１と関連づけられた同一防災区画（Ｚ０００１）の防火戸Ｄ１１１を動作させ、その情報を表示部ＦＡ５の画面に表示して報知する。
【００３３】
その火災報知により、監視員が表示部ＦＡ５の画面上に表示されているメニューのうち（図３（ａ）参照）、「全機器連動」スイッチＦＡ４１２を操作すると、操作部ＦＡ４は、同図（ｂ）に示すように、「第一倉庫」、「第二倉庫」及び「第三倉庫」の文字を画面に表示すると共に、各倉庫毎に「ＭＡＰ」、「ＯＮ」及び「ＯＦＦ」スイッチを表示する。操作部ＦＡ４は、その表示画面から火災発生の「第一倉庫」の「ＯＮ」スイッチがオン操作されると、「第一倉庫」の文字を表示して、内容の確認を促すメッセージを表示する（同図（ｄ）参照）。
【００３４】
操作部ＦＡ４は、そのメッセージにより「ＮＯ」スイッチが操作されたときには、同図（ｂ）に示す画面に戻るが、「ＹＥＳ」スイッチがオン操作されたときには、グループ集合ＤＢ部ＦＡ３２を参照して第一倉庫に設定されたグループ集合番号（ＺＨ００１）を制御部ＦＡ２に通知する。このとき再び「第一倉庫」、「第二倉庫」及び「第三倉庫」の文字を画面に表示すると共に、各倉庫毎に「ＭＡＰ」、「ＯＮ」及び「ＯＦＦ」スイッチを表示し、操作された第一倉庫の「ＯＮ」スイッチが赤色で表示される（同図（ｅ）参照）。
【００３５】
なお、操作部ＦＡ４は、同図（ｂ）に示す画面を表示した際に、「第一倉庫」の「ＭＡＰ」スイッチがオン操作された場合、第一倉庫に設定された全ての防災区画のゾーン番号（Ｚ０００１〜Ｚ０００４）を表示する。この操作により、第一倉庫に設定された防災区画の全てのゾーン番号を確認することができる。つまり、グループ集合番号に関連付けられたゾーン番号を確認することができる。
【００３６】
一方、制御部ＦＡ２は、第一倉庫に設定されたグループ集合番号（ＺＨ００１）の情報を受けたときには、記憶部ＦＡ３に格納されたグループ集合ＤＢ部ＦＡ３２から、グループ集合番号（ＺＨ００１）に関連付けられたゾーン番号（Ｚ０００１〜０００４）を呼び出す。制御部ＦＡ２は、ゾーン番号を呼び出すと、記憶部ＦＡ３に格納されたグループＤＢ部ＦＡ３１から、ゾーン番号（Ｚ０００１〜Ｚ０００４）をキーとして、動作した防火戸Ｄ１１１を制御した防排煙用中継器を除く残りの動作させる防排煙制御用中継器のアドレスを読み込む。そして、制御部ＦＡ２は、動作させる防排煙制御用中継器のアドレスを付与した制御信号を伝送部ＦＡ１から送信させる。これにより、複数の防災区画に配置された防排煙機器を建物毎や階毎等のひとまとまりで一斉に動作させて、火災が発生した防災区画の周囲の防災区画への火災の拡大を防いだり、周囲の防災区画をさらに越えた防災区画への火災の拡大を防いだりすることができる。
【００３７】
また、１つの防災区画に配置された防排煙機器を動作させることもできる。前述の火災報知により、監視員が表示部ＦＡ５の画面上に表示されているメニューのうち（図３（ａ）参照）、「機器連動」スイッチＦＡ４１１をオン操作すると、操作部ＦＡ４は、同図（ｂ）に示すように、「第一倉庫」、「第二倉庫」及び「第三倉庫」の文字を画面に表示すると共に、各倉庫毎に「ＭＡＰ」、「ＯＮ」及び「ＯＦＦ」スイッチを表示する。操作部ＦＡ４は、その表示画面から火災発生の「第一倉庫」の「ＯＮ」スイッチがオン操作されると、「第一倉庫」の文字を表示して、内容の確認を促すメッセージを表示する（同図（ｃ）参照）。
【００３８】
操作部ＦＡ４は、そのメッセージにより「ＹＥＳ」スイッチがオン操作されたときには、図示していないが、同図（ｅ）において第一倉庫に設定された防災区画毎のゾーン番号（Ｚ０００１〜Ｚ０００４）のスイッチを表示する。操作部ＦＡ４は、例えばＺ０００２のゾーン番号のスイッチがオン操作されたときには、選択されたゾーン番号（Ｚ０００２）を制御部ＦＡ２に通知する。
【００３９】
なお、操作部ＦＡ４は、前記と同様に、同図（ｂ）に示す画面を表示した際に、「第一倉庫」の「ＭＡＰ」スイッチがオン操作された場合、第一倉庫に設定された防災区画毎のゾーン番号（Ｚ０００１〜Ｚ０００４）を表示する。この操作により、第一倉庫に設定された防災区画毎のゾーン番号を確認することができる。
【００４０】
一方、制御部ＦＡ２は、第一倉庫に設定されたゾーン番号（Ｚ０００２）の情報を受けたときには、記憶部ＦＡ３に格納されたグループＤＢ部ＦＡ３１から、ゾーン番号（Ｚ０００２）をキーとして、動作した防火戸Ｄ１１１を制御した防排煙用中継器を除く残りの動作させる防排煙制御用中継器のアドレスとを読み込む。そして、制御部ＦＡ２は、動作させる防排煙制御用中継器のアドレスを付与した制御信号を伝送部ＦＡ１から送信させる。この場合は、火災感知によりシャッタＤ１１３が動作した防災区画に隣接する防災区画のシャッタが動作する。さらに、残りのシャッタを動作させる場合、前述した操作を繰り返すことにより可能になる。
【００４１】
以上のように実施の形態によれば、倉庫に設定された複数の防災区画のうち１つの防災区画のシャッタが火災感知により動作したときには、操作部ＦＡ４の操作に基づいて、残りの防災区画の全ての防排煙機器、あるいは火災が発生した防災区画に隣接する防災区画の防排煙機器のみを動作させることができる。これにより、簡単な操作で火災の拡大を防止できる。
【００４２】
なお、実施の形態では、火災感知器が火災感知した際に、操作部ＦＡ４の操作に基づいて、１つまたは複数の防災区画の防排煙機器を動作させるようにしたが、これに限定されるものではなく、火災感知器が火災感知していないときに操作部ＦＡ４の操作に基づいて防排煙機器を動作させても良い。
【符号の説明】
【００４３】
ＦＡ  火災受信機、ＦＡ１  伝送部、ＦＡ２  制御部、ＦＡ３  記憶部、ＦＡ３１  グループデータベース部、ＦＡ３２  グループ集合データベース部、ＦＡ４  操作部、ＦＡ４１  機能選択部、ＦＡ４１１  「機器連動」スイッチ、ＦＡ４１２  「全機器連動」スイッチ、ＦＡ４２  表示選択部、ＦＡ４３  連動機器選択部、ＦＡ４４  全連動機器選択部、ＦＡ５  表示部、ＳＧ  信号線、ＳＥ１１  光電式アナログ感知器、ＳＥ１２  熱アナログ感知器、ＳＥ１３  アドレッサブル発信機、Ｂ１１、Ｂ１２  地区ベル用中継器、Ｂ１１１、Ｂ１１２  地区ベル、Ｄ１１、Ｄ１２  防排煙制御用中継器、Ｄ１１１  防火戸、Ｄ１１２  シャッタ。
【図１】
2014016680.tif 000003
【図２】
2014016680.tif 000004
【図３】
2014016680.tif 000005